(57)【要約】      （修正有）【課題】利便性及び応用の広さを向上させるフィットネスマシンを提供する。【解決手段】地面に支持され且つ足踏みユニット１１１を含む本体１００と、本体１００に設置される接合構造１２０と、接合構造１２０に取り外し可能に設置され、且つシート１４０、シート１４０に設置される手すり棒１５０、及びシート１４０に設置され且つ接合構造１２０に取り外し可能に接続される接続構造を含むサポートシート１３０と、を備える。取り外し可能なサポートシート１３０の設置によって、必要に応じてサポートシート１３０と接合構造１２０との接続方式を変えることができ、使用者がフィットネスの過程中に運動モードを変えて、異なるボディパーツに対してフィットネスをする場合に有利である。【選択図】図１
0003220826.tif 000002
【実用新案登録請求の範囲】
【請求項１】
地面に支持され且つ足踏みユニットを含む本体と、
前記本体に設置される接合構造と、
前記接合構造に取り外し可能に枢設され、前記本体に対して回動でき、且つ、シートと、前記シートに設置される手すり棒と、前記シートに設置され且つ前記接合構造に取り外し可能に枢設される接続構造と、を含むサポートシートと、を備えることを特徴とするフィットネスマシン。
【請求項２】
前記シートはシートバックを含み、
且つ前記接続構造は前記シートバックに設置される請求項１に記載のフィットネスマシン。
【請求項３】
前記接続構造は互いに向かい合うように互いに連通される２つのスルーホールを含み、
且つ前記接合構造は、
前記本体に設置され且つ第１の末端貫通孔を含む第１の接続板と、
前記本体に設置され且つ第２の末端貫通孔を含み、前記第１の接続板とは互いに向かい合う第２の接続板と、
前記第１の接続板の前記第１の末端貫通孔、一方の前記スルーホール、他方の前記スルーホール及び前記第２の接続板の前記第２の末端貫通孔を突き通すことによって前記接続構造と前記接合構造を接続する接続ユニットと、を含む請求項１に記載のフィットネスマシン。
【請求項４】
前記接続構造は、
前記接続構造の前記第２の接続板に近い一側に設置される第１の取付穴と、
前記接続構造の前記第１の接続板に近い一側に設置され、且つ前記第１の取付穴とは互いに向かい合うように互いに連通される第１の開孔と、
前記接続構造の前記第２の接続板に近い一側に設置され、且つ前記第１の取付穴とは間隔をあけて設置される第２の取付穴と、
前記接続構造の前記第１の接続板に近い一側に設置され、前記第２の取付穴とは互いに向かい合うように互いに連通され、且つ前記第１の開孔とはそれぞれ２つの前記スルーホールの両側に設置される第２の開孔と、
前記接続構造内にそれぞれ設置され、且つそれぞれ係合ブロックを含み、その一端に前記係合ブロックが復位可能に設置され、一方の前記係合ブロックは前記第１の開孔に対応的に設置され且つ突出され、他方の前記係合ブロックは前記第２の開孔に対応的に設置され且つ突出される２つの弾性バックルと、を更に含む請求項３に記載のフィットネスマシン。
【請求項５】
前記第１の接続板は、
前記第１の接続板の前記第２の接続板に向かう一面に設置され、且つ少なくとも１つの凹穴を含む位置決め部を更に備え、
前記接合構造の長軸が前記接続構造の長軸と平行する場合、前記第１の接続板の前記凹穴は一方の前記弾性バックルの前記係合ブロックを制限することに用いられる請求項４に記載のフィットネスマシン。
【請求項６】
前記第１の接続板は、
前記位置決め部に設置され且つ前記凹穴の両側にそれぞれ位置する２つの傾斜部を更に含む請求項５に記載のフィットネスマシン。
【請求項７】
前記接合構造は、
前記第１の接続板の前記凹穴に対応的に設置されて、位置が前記凹穴に制限される一方の前記弾性バックルの前記係合ブロックを押して、位置が制限される前記係合ブロックを前記凹穴から脱離させることに用いられるボタングループを更に含む請求項５に記載のフィットネスマシン。
【請求項８】
前記第１の接続板の前記凹穴の数は２つであり、
２つの前記凹穴は２つの前記弾性バックルの２つの前記係合ブロックの位置をそれぞれ制限することに用いられる請求項５に記載のフィットネスマシン。
【請求項９】
前記ボタングループは、前記凹穴に対応的に設置される少なくとも１つの当接管を含む請求項７に記載のフィットネスマシン。
【請求項１０】
使用者が握るための握り部は、前記手すり棒の両端をそれぞれ折り曲げて形成される請求項１に記載のフィットネスマシン。
【請求項１１】
地面に支持され且つ足踏みユニットを含む本体と、
前記本体に設置される接合構造と、
前記接合構造に取り外し可能に設置され、且つシートと、前記シートに設置される手すり棒と、前記シートに設置され且つ前記接合構造に取り外し可能に接続される接続構造と、を含むサポートシートと、を備えることを特徴とするフィットネスマシン。
【請求項１２】
前記シートはシートバックを含み、且つ前記接続構造は前記シートバックに設置される請求項１１に記載のフィットネスマシン。
【請求項１３】
前記接続構造は、
前記接合構造に嵌着され、且つ少なくとも１つのスルーホールを含む接続管と、
前記接合構造が貫通孔を含み、前記スルーホール及び前記貫通孔を順次に突き通して、前記接続管と前記接合構造を固定する固定部材と、を備える請求項１１に記載のフィットネスマシン。
【請求項１４】
前記接合構造は貫通孔をさらに含み、前記接続構造は、
第１のスルーホールを含む第１の管部材と、第２のスルーホールを含み、且つ前記第１の管部材とは対向するように組み合わせる第２の管部材と、を有し、前記接合構造に嵌着される接続管と、
前記第１のスルーホール、前記貫通孔及び前記第２のスルーホールを突き通して、前記接続管と前記接合構造を固定する固定部材と、を備える請求項１１に記載のフィットネスマシン。
【請求項１５】
前記接合構造は末端貫通孔及び貫通孔を含み、且つ前記接続構造は、
前記接合構造に対応的に設置され、且つ互いに向かい合う２つのシュートを含む接続シートと、
一方の前記シュート、前記末端貫通孔及び他方の前記シュートを順次に突き通して、前記接続シートと前記接合構造を接続する接続ユニットと、を含む請求項１１に記載のフィットネスマシン。
【請求項１６】
前記接続ユニットは、
２つの前記シュートと前記末端貫通孔との両側にそれぞれ貫設される２つのスリーブと、
２つの前記スリーブ内に順次に貫設される接続部材と、を含む請求項１５に記載のフィットネスマシン。
【請求項１７】
前記接続構造は、前記接合構造に取り外し可能に接続されて、前記接合構造と前記接続シートを固定する固定部材を更に含む請求項１５に記載のフィットネスマシン。
【請求項１８】
使用者が握るための握り部は、前記手すり棒の両端をそれぞれ折り曲げて形成される請求項１１に記載のフィットネスマシン。
【考案の詳細な説明】
【技術分野】
【０００１】
本考案はフィットネスマシンに関し、特に運動モードを調整できる足踏みフィットネスマシンに関する。
【背景技術】
【０００２】
社会の進歩に伴って、人間は自分の健康や容姿への注目度も徐々に高まってきている。しかし、スポーツができる場所と時間には制約があるため、屋内で利用可能なトレッドミル、エクササイズバイク等の小型フィットネス機器が登場した。
【０００３】
従来のフィットネス機器は構造が簡単で、使用しやすい等の利点を有し、且つ異なるフィットネスニーズに応じて適切なフィットネス機器を選択することができ、使用者に広く愛用されている。
しかしながら、従来のフィットネス機器は、特定のボディパーツをトレーニングするようになっており、単一の運動モードのみを有する場合が多い。
足踏みフィットネスマシンを例に挙げると、使用者は足踏みフィットネスマシンのシートに座る場合、使用者の両足がペダルを踏んでサイクリングするように運動することができ、更に下肢をトレーニングすることができる。
しかし、使用者が胴体、上肢等の他のパーツをトレーニングしようとする場合、他のフィットネス機器を追加購入する必要があり、より多くのお金を使う必要があるだけでなく、追加購入された異なるフィットネス機器を同時に使用するための十分な使用スペースを確保する必要がある。
【考案の概要】
【考案が解決しようとする課題】
【０００４】
上記の問題を解決するために、当業者は多種のフィットネス機能を有するフィットネス機器を提案しており、上肢、下肢等の他のボディパーツをそれぞれトレーニングできるように、フィットネス機器の本体に往復引張ハンドル、踏み構造等の多種の異なる機能を有するフィットネス構造が同時に設置されたフィットネス機器を開発している。
しかしながら、異なるモードのフィットネスニーズを満たすために開発された、従来の多種のフィットネス機能を有するフィットネス機器は、一般的に体積や重量が比較的大きく、且つ異なるフィットネス構造を使用してフィットネスをする時には異なるフィットネススペースが必要になる場合が多く、前記のフィットネス機器の使用の利便性は、使用者の期待通りではない。
【０００５】
これに鑑みるに、使用の利便性及び異なる運動モードを同時に備えるフィットネス機器を如何に提供するかは、確実に商業的価値を有する技術的問題である。
【課題を解決するための手段】
【０００６】
本考案の一目的は、サポートシートの取り外し可能なデザインを利用して、実際的なフィットネスニーズに応じてサポートシートの設置形態を変えることができ、フィットネス機器の体積及び使用スペースを効果的に縮小することができるだけでなく、異なる運動モードを提供するフィットネス機器への要求を満たすことができるフィットネスマシンを提供することにある。
【０００７】
本考案の一実施形態は、
地面に支持され、且つ足踏みユニットを含む本体と、
本体に設置される接合構造と、
接合構造に取り外し可能に枢設され、本体に対して回動することができ、且つシート、シートに設置される手すり棒、及びシートに設置され、且つ接合構造に取り外し可能に枢設される接続構造を含むサポートシートと、を備えるフィットネスマシンを提供する。
【０００８】
前記の実施形態のフィットネスマシンによれば、シートはシートバックを含んでよく、且つ接続構造はシートバックに設置される。
【０００９】
前記の実施形態のフィットネスマシンによれば、接続構造は互いに向かい合うように互いに連通される２つのスルーホールを含んでよく、
且つ接合構造は、
本体に設置され且つ第１の末端貫通孔を含む第１の接続板と、
本体に設置され且つ第２の末端貫通孔を含み、且つ第１の接続板と互いに向かい合う第２の接続板と、
第１の接続板の第１の末端貫通孔、一方のスルーホール、他方のスルーホール及び第２の接続板の第２の末端貫通孔を突き通すことによって、前記の接続構造と接合構造を接続する接続ユニットと、を備えてよい。
【００１０】
前記の実施形態のフィットネスマシンによれば、接続構造は、
接続構造の第２の接続板に近い一側に設置される第１の取付穴と、
接続構造の第１の接続板に近い一側に設置され、且つ第１の取付穴と互いに向かい合うように互いに連通される第１の開孔と、
接続構造の第２の接続板に近い一側に設置され、且つ第１の取付穴に間隔をあけて設置される第２の取付穴と、
接続構造の第１の接続板に近い一側に設置され、第２の取付穴と互いに向かい合うように互いに連通され、且つ第１の開孔と２つのスルーホールの両側にそれぞれ設置される第２の開孔と、
接続構造内にそれぞれ設置され且つ係合ブロックを含む２つの弾性バックルと、を更に備えてよい。
係合ブロックはそれぞれの弾性バックルの一端に復位可能に設置され、
一方の弾性バックルの係合ブロックは第１の開孔に対応的に設置され且つ突出され、
他方の弾性バックルの係合ブロックは第２の開孔に対応的に設置され且つ突出される。
【００１１】
前記の実施形態のフィットネスマシンによれば、第１の接続板は、第１の接続板の第２の接続板に向かう一面に設置され、且つ少なくとも１つの凹穴を含む位置決め部を更に備えてよい。
接合構造の長軸は接続構造の長軸と平行する場合、第１の接続板の凹穴は一方の弾性バックルの係合ブロックの位置を制限することに用いられる。
【００１２】
前記の実施形態のフィットネスマシンによれば、第１の接続板は、位置決め部に設置され且つそれぞれ凹穴の両側に位置する２つの傾斜部を更に含んでよい。
【００１３】
前記の実施形態のフィットネスマシンによれば、接合構造は、第１の接続板の凹穴に対応的に設置され、位置が凹穴に制限される一方の弾性バックルの係合ブロックを押すことによって、係合ブロックを凹穴に制限される位置から脱離させるためのボタングループを更に含んでよい。
【００１４】
前記の実施形態のフィットネスマシンによれば、第１の接続板の凹穴の数は２つであってよく、２つの凹穴は２つの弾性バックルの２つの係合ブロックの位置をそれぞれ制限することに用いられる。
【００１５】
前記の実施形態のフィットネスマシンによれば、ボタングループは、凹穴に対応的に設置される少なくとも１つの当接管を含んでよい。
【００１６】
前記の実施形態のフィットネスマシンによれば、使用者が握ることができるように、手すり棒の両端をそれぞれ折り曲げて握り部を形成してよい。
【００１７】
これによって、本考案によるフィットネスマシンは、接合構造に枢設され且つ本体に対して回動できるサポートシートの設置によって、サポートシートの全体を本体から取り外すことを必要とせずに、実際の必要性に応じてサポートシートの本体に対する設置方式を変えることができる。
これは、使用者がフィットネスの過程中に運動モードを変えて、異なるボディパーツに対してフィットネスをする場合に便利であり、このことが更に、本考案によるフィットネスマシンの使用の利便性及び応用範囲の広さを向上させる。
【００１８】
本考案の他の実施形態は、
地面に支持され、且つ足踏みユニットを含む本体と、
本体に設置される接合構造と、
接合構造に取り外し可能に設置され、且つ、シート、シートに設置される手すり棒、及びシートに設置され、且つ接合構造に取り外し可能に接続される接続構造を含むサポートシートと、を備えるフィットネスマシンを提供する。
【００１９】
前記の実施形態のフィットネスマシンによれば、シートはシートバックを含んでよく、且つ接続構造はシートバックに設置されてよい。
【００２０】
前記の実施形態のフィットネスマシンによれば、接続構造は、接合構造に嵌着され、且つ少なくとも１つのスルーホールを含んでよい接続管、及び固定部材を備えてよい。
接合構造は貫通孔を含んでよく、接続管と接合構造を固定するように、固定部材は順次スルーホール及び前記の貫通孔を突き通す。
【００２１】
前記の実施形態のフィットネスマシンによれば、接続構造は、
接合構造に嵌着され、且つ第１のスルーホールを含む第１の管部材、及び第２のスルーホールを含んで且つ第１の管部材と対向するように組み合わせる第２の管部材、を含んでよい接続管と、
固定部材と、を備えてよい。
接合構造は貫通孔を含んでよく、接続管と接合構造を固定するように、固定部材は第１のスルーホール、貫通孔及び第２のスルーホールを突き通す。
【００２２】
前記の実施形態のフィットネスマシンによれば、
接合構造は、末端貫通孔及び貫通孔を含んでよく、
且つ接続構造は、
接合構造に対応的に設置され、且つ互いに向かい合う２つのシュートを含む接続シートと、
接続シートと接合構造を接続するように、順次に一方のシュート、末端貫通孔及び他方のシュートを突き通す接続ユニットと、を含んでよい。
【００２３】
前記の実施形態のフィットネスマシンによれば、接続ユニットは、
２つのシュートと末端貫通孔の両側にそれぞれ貫設される２つのスリーブと、
２つのスリーブ内に順次に貫設される接続部材と、を含んでよい。
【００２４】
前記の実施形態のフィットネスマシンによれば、接続構造は、接合構造と接続シートを固定するように、接合構造に取り外し可能に接続される固定部材を更に含んでよい。
【００２５】
前記の実施形態のフィットネスマシンによれば、使用者が握ることができるように、手すり棒の両端をそれぞれ折り曲げて握り部を形成してよい。
（考案の効果）
【００２６】
このように、本考案によるフィットネスマシンは、取り外し可能なサポートシートの設置によって、実際の必要に応じてサポートシートと接合構造との接続方式を変えることができるため、使用者がフィットネスの過程中に運動モードを変えて、異なるボディパーツに対するフィットネスをする場合に便利であり、このことが更に本考案によるフィットネスマシンの使用の利便性及び応用範囲の広さを向上させる。
【図面の簡単な説明】
【００２７】
下記図面の説明は、本考案の目的、特徴、メリット及び実施例をより分かりやすくするためのものである。
【図１】本考案の一実施形態の一実施例によるフィットネスマシンを模式的に示す斜視図である。
【図２】図１の実施例によるフィットネスマシンにおけるサポートシートと接合構造との接続を示す分解斜視図である。
【図３Ａ】図１の実施例によるフィットネスマシンにおけるサポートシートの接続状態を模式的に示す側面図である。
【図３Ｂ】図３Ａの実施例によるフィットネスマシンの断面線３−３に沿う断面図である。
【図４Ａ】図１の実施例によるフィットネスマシンにおけるサポートシートの他の接続状態を模式的に示す側面図である。
【図４Ｂ】図４Ａの実施例によるフィットネスマシンの断面線４−４に沿う断面図である。
【図５】本考案の他の実施形態の一実施例によるフィットネスマシンを模式的に示す斜視図である。
【図６】図５の実施例によるフィットネスマシンにおけるサポートシートと接合構造との接続を模式的に示す斜視図である。
【図７】図５の実施例によるフィットネスマシンにおけるサポートシートと接合構造との他の接続を模式的に示す斜視図である。
【図８】本考案の他の実施形態の他の実施例によるフィットネスマシンにおけるサポートシートと接合構造との接続を模式的に示す斜視図である。
【図９】図８の実施例によるフィットネスマシンにおけるサポートシートと接合構造との他の接続を模式的に示す斜視図である。
【図１０】本考案の他の実施形態の更に１つの実施例によるフィットネスマシンにおけるサポートシートと接合構造との接続を模式的に示す斜視図である。
【図１１Ａ】図１０の実施例によるフィットネスマシンにおけるサポートシートの接続状態を模式的に示す側面図である。
【図１１Ｂ】図１１Ａの実施例によるフィットネスマシンにおけるサポートシートの回動動作を示す側面図である。
【図１１Ｃ】図１０の実施例によるフィットネスマシンにおけるサポートシートの他の接続状態を示す側面図である。
【図１２】本考案の一実施形態の他の実施例によるフィットネスマシンを示す斜視図である。
【図１３】図１２の実施例によるフィットネスマシンを模式的に示す別の斜視図である。
【考案を実施するための形態】
【００２８】
以下、図面を参照して本考案の複数の実施例を説明する。明確に説明するために、数多くの実務上の細部を、下記の記述と併せて説明する。
しかしながら、当業者が理解すべきなのは、これらの実務上の細部は本考案を制限するためのものではないということである。つまり、本考案の一部の実施例において、これらの実務上の細部は必要としない。
また、図面を簡略化するために、ある従来慣用の構造及び要素は、図面において簡単で模式的に示され、且つ同一の要素は同一の番号で示されることがある。
【００２９】
図１及び図２を参照されたい。図１は本考案の一実施形態の一実施例によるフィットネスマシン１００を模式的に示す斜視図であり、図２は図１の実施例によるフィットネスマシン１００におけるサポートシート１３０と接合構造１２０との接続を示す分解斜視図である。
フィットネスマシン１００は本体１１０、接合構造１２０及びサポートシート１３０を備える。
【００３０】
本体１１０は地面に支持され且つ足踏みユニット１１１を含む。
接合構造１２０は本体１１０に設置される。
サポートシート１３０は接合構造１２０に取り外し可能に枢設され且つ本体１１０に対して回動でき、且つサポートシート１３０はシート１４０、手すり棒１５０及び接続構造１６０を含む。
手すり棒１５０はシート１４０に設置され、好ましくは、図２の実施例において、手すり棒１５０の両端をそれぞれ折り曲げて握り部１５１を形成することができ、使用者が握るために用いられ、本考案によるフィットネスマシン１００の使用安全性を増加することができる。
接続構造１６０はシート１４０に設置され、且つ接合構造１２０に取り外し可能に枢設される。
好ましくは、図１の実施例において、シート１４０はシートバック１４１を含んでよく、接続構造１６０はシートバック１４１に設置される。
これによって、本考案によるフィットネスマシン１００は、接合構造１２０に枢設され且つ本体１１０に対して回動できるサポートシート１３０の設置によって実際の必要に応じてサポートシート１３０の本体１１０に対する設置形態を変えることができ、サポートシート１３０の全体を本体１１０から取り外す必要がなくなり、使用者がフィットネスの過程中に運動モードを変え、異なるボディパーツに対してフィットネスをする場合に有利であり、これが更に本考案によるフィットネスマシン１００の使用の利便性及び応用の広さを向上させる。
【００３１】
図２の実施例において、接続構造１６０は２つのスルーホール１６１（図２では１つのスルーホール１６１のみを示す）を含んでよい。２つのスルーホール１６１は互いに向かい合うように互いに連通され、且つ接合構造１２０は第１の接続板１２１、第２の接続板１２２及び接続ユニット１２３を含んでよい。
第１の接続板１２１は本体１１０に設置され且つ第１の末端貫通孔１２４を含む。
第２の接続板１２２は本体１１０に設置され且つ第２の末端貫通孔１２５を含み、且つ第１の接続板１２１と第２の接続板１２２とは互いに向かい合い、接続ユニット１２３は順次に第１の接続板１２１の第１の末端貫通孔１２４、一方のスルーホール１６１、他方のスルーホール１６１及び第２の接続板１２２の第２の末端貫通孔１２５を突き通すことによって、接続構造１６０と接合構造１２０を接続する。
好ましくは、図２の実施例において、接続構造１６０は第１の取付穴１６２、第１の開孔１６４（図３Ｂに示される）、第２の取付穴１６３、第２の開孔１６５（図３Ｂに示される）及び２つの弾性バックル１６６を更に含んでよい。
第１の取付穴１６２は接続構造１６０の第２の接続板１２２に近い一側に設置される。
第１の開孔１６４は接続構造１６０の第１の接続板１２１に近い一側に設置され、且つ第１の取付穴１６２と第１の開孔１６４とは互いに向かい合うように互いに連通される。
第２の取付穴１６３は接続構造１６０の第２の接続板１２２に近い一側に設置され、且つ第２の取付穴１６３と第１の取付穴１６２とは間隔をあけて設置される。
第２の開孔１６５は接続構造１６０の第１の接続板１２１に近い一側に設置され、第２の取付穴１６３と第２の開孔１６５とは互いに向かい合うように互いに連通され、且つ第１の開孔１６４と第２の開孔１６５とは２つのスルーホール１６１の両側にそれぞれ設置される。
２つの弾性バックル１６６は接続構造１６０内にそれぞれ設置され、且つそれぞれ係合ブロック１６７を含み、係合ブロック１６７が各弾性バックル１６６の一端に復位可能に設置され、一方の弾性バックル１６６の係合ブロック１６７は第１の開孔１６４に対応的に設置され且つ突出され、他方の弾性バックル１６６の係合ブロック１６７は第２の開孔１６５に対応的に設置され且つ突出される。
詳細には、一方の弾性バックル１６６は第１の取付穴１６２と第１の開孔１６４を順次に突き通し、且つその係合ブロック１６７を第１の開孔１６４内に嵌設し、他方の弾性バックル１６６は第２の取付穴１６３と第２の開孔１６５を順次に突き通し、且つその係合ブロック１６７を第２の開孔１６５内に嵌設する。これによって２つの弾性バックル１６６が接続構造１６０内に設置され、２つの弾性バックル１６６はまたロック、嵌め合い等の方法によって更に接続構造１６０に固定されるが、本考案はこれに制限されない。
こうして、サポートシート１３０は、接続ユニット１２３が第１の接続板１２１の第１の末端貫通孔１２４、第２の接続板１２２の第２の末端貫通孔１２５及び接続構造１６０の２つのスルーホール１６１に貫設されることによって接合構造１２０に接続されることができ、且つ本体１１０に対して回動でき、２つの弾性バックル１６６の２つの係合ブロック１６７の位置はそれぞれ第１の開孔１６４と第２の開孔１６５によって制限されることができ、２つの弾性バックル１６６を接続構造１６０内に固定させ、且つ２つの弾性バックル１６６の２つの係合ブロック１６７がそれぞれ第１の接続板１２１に係設されることができる。よってサポートシート１３０の接合構造１２０に対する変位又は揺動を防止し、後続のサポートシート１３０と接合構造１２０との接続及びその接続強度を強化させることに有利である。
以上により、本考案によるフィットネスマシン１００はサポートシート１３０が取り外し可能で且つ本体１１０に対して回動できるデザインによって実際のフィットネスニーズに応じてサポートシート１３０の設置形態を変えることができるため、サポートシート１３０と接合構造１２０の接続を解除する必要がなく、フィットネスマシン１００の体積及び使用スペースを効果的に縮小することができるだけでなく、異なる運動モードを有するフィットネス機器への要求を満たすことができ、使用上もより便利になる。
【００３２】
図２の実施例において、第１の接続板１２１は位置決め部１２６を更に備えてよく、位置決め部１２６が、第１の接続板１２１の、第２の接続板１２２に向かう一面に設置され、且つ少なくとも１つの凹穴１２７及び２つの傾斜部１２８（図２では１つの傾斜部１２８のみを示す）を含む。
接合構造１２０の長軸は、接続構造１６０の長軸と平行する場合、第１の接続板１２１の凹穴１２７は一方の弾性バックル１６６の係合ブロック１６７の位置を制限することに用いられる。
２つの傾斜部１２８は位置決め部１２６に設置され且つ第１の接続板１２１の凹穴１２７の両側にそれぞれ位置し、一方の弾性バックル１６６の係合ブロック１６７が傾斜部１２８のガイドに伴って凹穴１２７内に係入される場合に有利であり、サポートシート１３０のフィットネスの過程における変位や揺動を防止する。
また、位置決め部１２６はスタンピング、板金等の方法によって第１の接続板１２１に設置されることができ、第２の接続板１２２にスタンピング、板金の方法によって突起部（図示せず）を増設することもできるため、弾性バックル１６６の係合ブロック１６７の係設に有利であるが、本考案は前記の説明及び図面で開示された内容に制限されない。
【００３３】
なお、図２の実施例において、接合構造１２０はボタングループ１６８を更に含んでよく、ボタングループ１６８が第１の接続板１２１の凹穴１２７に対応的に設置され、位置が凹穴１２７に制限される弾性バックル１６６の係合ブロック１６７を押すことに用いられる。これは、位置が制限される係合ブロック１６７を凹穴１２７から脱離させ、位置が制限されるサポートシート１３０が接合構造１２０から脱離して回動する場合に有利であり、更にフィットネスマシン１００の使用の利便性を増加する。
【００３４】
図２の実施例において、第１の接続板１２１の凹穴１２７の数は２つであってよく、２つの凹穴１２７が２つの弾性バックル１６６の２つの係合ブロック１６７をそれぞれリミットすることに用いられ、且つボタングループ１６８は少なくとも１つの当接管１６９を含んでよく、当接管１６９が凹穴１２７に対応的に設置される。
使用者がボタングループ１６８を押す時に、当接管１６９は位置が凹穴１２７に制限される弾性バックル１６６の係合ブロック１６７に当接されることができ、弾性バックル１６６に復位可能に設置される係合ブロック１６７は使用者の押力によって伸縮し、更に位置が制限される係合ブロック１６７を凹穴１２７から脱離させ、且つ凹穴１２７から脱離した後に再度復位されるため、更にサポートシート１３０を回動させ且つサポートシート１３０の本体１１０に対する設置形態を変える場合に有利である。
これによって、本考案によるフィットネスマシン１００の使用の利便性を向上させることができる。
【００３５】
なお、図２の実施例において、当接管１６９の数は２つであってよい。２つの当接管１６９は、位置が２つの凹穴１２７に制限される２つの係合ブロック１６７をそれぞれ押すように、それぞれ２つの凹穴１２７に対応的に設置されるが、本考案は前記の説明及び図面で開示された内容に制限されない。
【００３６】
図３Ａ、図３Ｂ、図４Ａ及び図４Ｂを参照されたい。図３Ａは図１の実施例によるフィットネスマシン１００におけるサポートシート１３０の接続状態を模式的に示す側面図であり、図３Ｂは図３Ａの実施例によるフィットネスマシン１００の断面線３−３に沿う断面図であり、図４Ａは図１の実施例によるフィットネスマシン１００におけるサポートシート１３０の他の接続状態を模式的に示す側面図であり、図４Ｂは図４Ａの実施例によるフィットネスマシン１００の断面線４−４に沿う断面図である。
【００３７】
図３Ａ及び図３Ｂに示すように、サポートシート１３０のシート１４０はシートバック１４１が足踏みユニット１１１に向かう方向に本体１１０に接続して設置される場合に、更にフィットネスマシン１００に１つの座りスペースを提供することができ、使用者がシート１４０に座って足踏みユニット１１１を踏んでサイクリングするように運動することができ、更に下肢をトレーニングすることができる。
この時、接合構造１２０の長軸は接続構造１６０の長軸と平行であり、第１の取付穴１６２と第１の開孔１６４に順次に貫設される弾性バックル１６６の係合ブロック１６７は、第１の開孔１６４に突出され且つ位置が第１の接続板１２１によって制限されず、第２の取付穴１６３と第２の開孔１６５に順次に貫設される弾性バックル１６６の係合ブロック１６７は、第２の開孔１６５に突出され且つ位置が第１の接続板１２１の位置決め部１２６の凹穴１２７（図２に示される）内に制限される。
これによってサポートシート１３０は弾性バックル１６６の係合ブロック１６７によって接合構造１２０の凹穴１２７に係設接続されることができ、サポートシート１３０がフィットネスの過程中に本体１１０に対して枢転することが防止される。また、ボタングループ１６８の当接管１６９は、位置が凹穴１２７に制限される弾性バックル１６６の係合ブロック１６７に当接されることができ、係合ブロック１６７を押す場合に有利である。
【００３８】
図４Ａ及び図４Ｂに示すように、サポートシート１３０は図３Ａの設置形態から枢転してシートバック１４１が足踏みユニット１１１と異なる方向に本体１１０に接続して設置される時、手すり棒１５０はフィットネスマシン１００の一番上に位置し、使用者は腹臥位姿勢を取って手すり棒１５０に支持されることができ、且つ足踏みユニット１１１を踏み、これによって上肢、胴体及び下肢を同時にトレーニングする。
この時、接合構造１２０の長軸は同様に接続構造１６０の長軸と平行であり、第２の取付穴１６３と第２の開孔１６５に順次に貫設される弾性バックル１６６の係合ブロック１６７は、第２の開孔１６５に突出され且つ位置が第１の接続板１２１によって制限されず、第１の取付穴１６２と第１の開孔１６４に順次に貫設される弾性バックル１６６の係合ブロック１６７は、第１の開孔１６４に突出されて且つ位置が第１の接続板１２１の位置決め部１２６の凹穴１２７（図２に示される）内に制限される。
これによって、サポートシート１３０は弾性バックル１６６の２つの係合ブロック１６７によって接合構造１２０の凹穴１２７に係設接続され、サポートシート１３０がフィットネスの過程中に本体１１０に対して枢転することを防止する。
また、ボタングループ１６８の当接管１６９は、位置が凹穴１２７に制限される弾性バックル１６６の係合ブロック１６７に当接されることができ、係合ブロック１６７が押す場合に有利である。
これによって、本考案によるフィットネスマシン１００の使用安全性を大幅に増加することができる。
【００３９】
図５、図６及び図７を参照されたい。図５は本考案の他の実施形態の一実施例によるフィットネスマシン２００を模式的に示す斜視図であり、図６は図５の実施例によるフィットネスマシン２００におけるサポートシート２３０と接合構造２２０との接続を模式的に示す斜視図であり、図７は図５の実施例によるフィットネスマシン２００におけるサポートシート２３０と接合構造２２０との他の接続を模式的に示す斜視図である。フィットネスマシン２００は本体２１０、接合構造２２０（図６に示される）及びサポートシート２３０を含む。
【００４０】
本体２１０は地面に支持され且つ足踏みユニット２１１を含む。
接合構造２２０は本体２１０に設置される。
サポートシート２３０は接合構造２２０に取り外し可能に設置され、且つサポートシート２３０はシート２４０、手すり棒２５０及び接続構造２６０を含む。
手すり棒２５０はシート２４０に設置される。
接続構造２６０はシート２４０に設置され、且つ接合構造２２０に取り外し可能に接続される。
これによって、本考案によるフィットネスマシン２００はサポートシート２３０の取り外し可能なデザインによって実際のフィットネスニーズに応じてサポートシート２３０の本体２１０に対する設置形態を変えることができ、フィットネスマシン２００の体積及び使用スペースを効果的に縮小することができるだけでなく、更に異なる運動モードを有するフィットネス機器への要求を満たすことができる。
【００４１】
図６の実施例において、サポートシート２３０のシート２４０はシートバック２４１を含み、接続構造２６０はシートバック２４１に設置され、且つ接続管２６１及び固定部材２６２を含む。
接続管２６１はロッド状を呈する接合構造２２０に嵌着され、サポートシート２３０をこの嵌着された接合構造２２０によって本体２１０に設置する。
接続管２６１は少なくとも１つのスルーホール２６３を含んでよく、固定部材２６２はスルーホール２６３及び接合構造２２０の一方の貫通孔２２１を順次に突き通すことによって、接続管２６１と接合構造２２０を固定し、サポートシート２３０が接合構造２２０からの脱落を防止する。
【００４２】
ここで説明する必要があるのは、
接続構造２６０は固定部材２６２によってねじ込み、連結等の方法によって接合構造２２０に接続されることができ、
スルーホール２６３は必要に応じて貫通孔、ネジ穴等の構造に設置されることができ、或いは片面パッキングの方法によって固定され、これによって固定部材２６２の固定効果を増加する、ということである。
更に、接続管２６１は必要に応じて２つのスルーホール２６３を含むように調整されることができ、固定部材２６２を貫設することに用いられるが、本考案は前記の説明及び図面で開示された内容に制限されない。
【００４３】
図６に示すように、サポートシート２３０のシート２４０はシートバック２４１が足踏みユニット２１１に向かう方向に本体２１０に接続して設置される時に、更にフィットネスマシン２００に１つの座りスペースを提供し、使用者はシート２４０に座って足踏みユニット２１１を踏んでサイクリングするように運動することができ、更に下肢をトレーニングすることができる。
逆に、図７に示すように、サポートシート２３０のシート２４０はシートバック２４１が足踏みユニット２１１と異なる方向に本体２１０に接続して設置される時に、接続構造２６０の接続管２６１は図６の実施例と異なる他端から接合構造２２０に嵌着され、この時、手すり棒２５０はフィットネスマシン２００の一番上に位置し、使用者は腹臥位を取って手すり棒２５０に支持されることができ、且つ足踏みユニット２１１を踏み、これによって上肢、胴体及び下肢を同時にトレーニングする。
これによって、本考案によるフィットネスマシン２００は実際の必要に応じてサポートシート２３０と接合構造２２０との接続方式を変えることができるため、使用者はフィットネスの過程中に運動モードを変え、異なるボディパーツに対してフィットネスをする場合に便利であり、これが更に本考案によるフィットネスマシン２００の使用の利便性及び応用の広さを向上させる。
【００４４】
図５の実施例において、手すり棒２５０の両端をそれぞれ折り曲げて握り部２５１を形成することができ、使用者が握る場合に用いられる。これによって、本考案によるフィットネスマシン２００の使用安全性を増加することができる。
【００４５】
図８及び図９を参照されたい。図８は本考案の他の実施形態の他の実施例によるフィットネスマシン３００におけるサポートシート３３０と接合構造３２０との接続を模式的に示す斜視図であり、図９は図８の実施例によるフィットネスマシン３００におけるサポートシート３３０と接合構造３２０との他の接続を模式的に示す斜視図である。フィットネスマシン３００は本体３１０、接合構造３２０及びサポートシート３３０を備える。
【００４６】
本体３１０は地面に支持され且つ足踏みユニット３１１を含む。
接合構造３２０は本体３１０に設置される。
サポートシート３３０は接合構造３２０に取り外し可能に設置され、且つシート３４０、手すり棒３５０及び接続構造３６０を含む。
手すり棒３５０はシート３４０に設置される。
接続構造３６０はシート３４０に設置され、且つ接合構造３２０に取り外し可能に接続される。
これによって、本考案によるフィットネスマシン３００は、サポートシート３３０の取り外し可能なデザインによって、実際のフィットネスニーズに応じてサポートシート３３０の本体３１０に対する設置形態を変えることができ、フィットネスマシン３００の体積及び使用スペースを効果的に縮小することができるだけでなく、更に異なる運動モードを有する要求を満たすことができる。
【００４７】
図８及び図９に示すように、シート３４０はシートバック３４１を含んでよく、接続構造３６０はシートバック３４１に設置され、接続管３６１及び固定部材３６２を含む。
接続管３６１はロッド状を呈する接合構造３２０に嵌着され、好ましくは、図８の実施例において、接続管３６１は第１の管部材３６５及び第２の管部材３６３を含んでよい。
第１の管部材３６５は第１のスルーホール３６６を含む。
第２の管部材３６３は第２のスルーホール３６４を含み、且つ第１の管部材３６５と第２の管部材３６３とは対向するように組み合わせる。
接合構造３２０は貫通孔３２１を含み、固定部材３６２は第１のスルーホール３６６、貫通孔３２１及び第２のスルーホール３６４を順次に突き通し、或いは第２のスルーホール３６４、貫通孔３２１及び第１のスルーホール３６６を順次に突き通し、これによって接続管３６１と接合構造３２０を固定する。
第１の管部材３６５と第２の管部材３６３とは対向するように組み合わせて接続管３６１を形成する方法によって、サポートシート３３０の着脱に有利であり、フィットネスマシン３００の使用がより便利になる。
なお、図８の実施例において、手すり棒３５０の両端をそれぞれ折り曲げて握り部３５１を形成することができ、使用者が握る場合に用いられる。これによって、本考案によるフィットネスマシン３００の使用安全性を増加することができる。
【００４８】
ここで説明する必要があるのは、接続構造３６０は固定部材３６２によってねじ込み、連結等の方法で接合構造３２０に接続されることができ、第１のスルーホール３６６と第２のスルーホール３６４とは必要に応じて貫通孔又はネジ穴に設置させることもでき流ということである。固定部材３６２はねじ、スレッドノブ等の固定効果を有する部品であってよいが、本考案は前記の説明及び図面で開示された内容に制限されない。
【００４９】
図８に示すように、サポートシート３３０のシート３４０はシートバック３４１が足踏みユニット３１１に向かう方向に本体３１０に接続して設置される時に、更にフィットネスマシン３００に座りスペースを提供することができ、使用者はシート３４０に座って足踏みユニット３１１を踏んでサイクリングするように運動することができ、更に下肢をトレーニングすることができる。
図９に示すように、サポートシート３３０のシート３４０はシートバック３４１が足踏みユニット３１１と異なる方向に本体３１０に接続して設置される時、接続管３６１の第１の管部材３６５と第２の管部材３６３とは互いに接合構造３２０に対する設置位置を交換して接合構造３２０に接続して組み合わされる。
この時、手すり棒３５０はフィットネスマシン３００の一番上に位置し、使用者は腹臥位を取って手すり棒３５０に支持されることができ、且つ足踏みユニット３１１を踏み、更に上肢、胴体及び下肢を同時にトレーニングすることができる。
これによって、本考案によるフィットネスマシン３００は実際の必要に応じてサポートシート３３０と接合構造３２０との接続方式を変えることができ、使用者はフィットネスの過程中に運動モードを変え、異なるボディパーツに対してフィットネスをする場合に有利であり、更に本考案によるフィットネスマシン３００の使用の利便性及び応用の広さを向上させる。
【００５０】
図１０を参照されたい。本考案の他の実施形態の更に１つの実施例によるフィットネスマシン４００におけるサポートシート４３０と接合構造４２０との接続を示す斜視図である。
フィットネスマシン４００は本体４１０、接合構造４２０及びサポートシート４３０を含む。
【００５１】
本体４１０は地面に支持され且つ足踏みユニット４１１を含む。
接合構造４２０は本体４１０に設置される。
サポートシート４３０は接合構造４２０に取り外し可能に設置され、且つシート４４０、手すり棒４５０及び接続構造４６０を含む。
手すり棒４５０はシート４４０に設置される。
接続構造４６０はシート４４０に設置され、且つ接合構造４２０に取り外し可能に接続される。好ましくは、図１０の実施例において、シート４４０はシートバック４４１を含んでよく、且つ接続構造４６０はシートバック４４１に設置されるが、本考案はこれに制限されない。
これによって、本考案によるフィットネスマシン４００は、サポートシート４３０の取り外し可能なデザインによって、実際のフィットネスニーズに応じてサポートシート４３０の本体４１０に対する設置形態を変えることができ、フィットネスマシン４００の体積及び使用スペースを効果的に縮小することができるだけでなく、更に異なる運動モードを有するフィットネス機器への要求を満たすことができる。
【００５２】
図１０の実施例において、接合構造４２０は末端貫通孔４２２及び貫通孔４２１を含み、且つ接続構造４６０は接続シート４６１及び接続ユニット４６２を含む。
接続シート４６１は接合構造４２０に対応的に設置され、且つ２つのシュート４６３を含み、２つのシュート４６３が互いに向かい合う。
接続ユニット４６２は一方のシュート４６３、末端貫通孔４２２及び他方のシュート４６３を順次に突き通し、これによって接続シート４６１と接合構造４２０を接続する。
好ましくは、図１０の実施例において、接続構造４６０は固定部材４６４を更に含んでよく、固定部材４６４が接合構造４２０に取り外し可能に接続され、これによって接合構造４２０と接続シート４６１を固定する。
好ましくは、固定部材４６４はねじ、スレッドノブ等の固定効果を有する部品であってよく、且つ本考案は前記の説明及び図面で開示された内容に制限されない。
接続ユニット４６２は２つのスリーブ４６５及び接続部材４６６を含んでよく、２つのスリーブ４６５は２つのシュート４６３と末端貫通孔４２２との両側にそれぞれ貫設され、接続部材４６６は２つのスリーブ４６５内に順次に貫設され、接合構造４２０を接続シート４６１内に対応的に組み合わせるようにする。
これによって、接続ユニット４６２は２つのスリーブ４６５及び接続部材４６６の設置によって末端貫通孔４２２内に固定して貫設されることができ、接続シート４６１が接合構造４２０からの緩み又は変位を防止するように、２つのスリーブ４６５は２つのシュート４６３の辺縁にそれぞれ当接されることができる。
なお、図１０の実施例において、手すり棒４５０の両端をそれぞれ折り曲げて握り部４５１を形成することができ、使用者が握る場合に用いられる。これによって、本考案によるフィットネスマシン４００の使用安全性を増加することができる。
【００５３】
図１１Ａ、図１１Ｂ及び図１１Ｃを参照されたい。図１１Ａは図１０の実施例によるフィットネスマシン４００におけるサポートシート４３０の接続状態を模式的に示す側面図であり、図１１Ｂは図１１Ａの実施例によるフィットネスマシン４００におけるサポートシート４３０の回動動作を模式的に示す側面図であり、図１１Ｃは図１０の実施例によるフィットネスマシン４００におけるサポートシート４３０の他の接続状態を模式的に示す側面図である。
【００５４】
図１１Ａに示すように、サポートシート４３０のシート４４０はシートバック４４１が足踏みユニット４１１に向かう方向に本体４１０に接続して設置される時、更にフィットネスマシン４００に１つの座りスペースを提供することができ、使用者はシート４４０に座って足踏みユニット４１１を踏んでサイクリングするように運動することができ、下肢をトレーニングすることができる。
図１１Ｂに示すように、固定部材４６４は接合構造４２０に接続されない時、サポートシート４３０は、末端貫通孔４２２（図１０に示される）内に固定して貫設される接続ユニット４６２を支点として、且つ位置が２つのシュート４６３に制限され且つガイドされることによって、接合構造４２０に対して移動及び回動することができ、更にサポートシート４３０の本体４１０に対する設置形態を変える。
再び図１１Ｃに示すように、サポートシート４３０の移動によって２つの接続ユニット４６２と２つのシュート４６３を図１１Ａの他端に対して接触させる時、サポートシート４３０のシート４４０はシートバック４４１が足踏みユニット４１１と異なる方向に本体４１０に接続して設置され、この時、手すり棒４５０はフィットネスマシン４００の一番上に位置し、使用者は腹臥位を取って手すり棒４５０に支持されることができ、且つ足踏みユニット４１１を踏み、更に上肢、胴体及び下肢を同時にトレーニングすることができる。
これによって、本考案によるフィットネスマシン４００は２つのシュート４６３の設置によって、サポートシート４３０と接合構造４２０との接続を解除することを必要とせずに、サポートシート４３０が接合構造４２０に対する接続形態を変えることができ、異なる運動モードを有するフィットネス機器への要求を満たすことができるだけでなく、使用上でもより便利になる。
【００５５】
図１２及び図１３を参照されたい。図１２は本考案の一実施形態の他の実施例によるフィットネスマシン５００を模式的に示す斜視図であり、図１３は図１２の実施例によるフィットネスマシン５００を模式的に示す他の斜視図である。
フィットネスマシン５００は本体５１０、接合構造５２０及びサポートシート５３０を含む。
【００５６】
本体５１０は地面に支持され且つ足踏みユニット５１１を含む。
接合構造５２０は本体５１０に設置される。
サポートシート５３０は接合構造５２０に取り外し可能に枢設されて本体５１０に対して回動でき、且つシート５４０、手すり棒５５０及び接続構造５６０を含む。
手すり棒５５０はシート５４０に設置される。
好ましくは、図１２の実施例において、手すり棒５５０の両端をそれぞれ折り曲げて握り部５５１を形成することができる。これは、使用者が握る場合に用いられ、本考案によるフィットネスマシン５００の使用安全性を増加することができる。
接続構造５６０はシート５４０に設置され、且つ接合構造５２０に取り外し可能に枢設される。
【００５７】
図１２及び図１３に示すように、サポートシート５３０のシート５４０はシートの表面（図示せず）が上に向かう方向に本体５１０に接続して設置される時、更にフィットネスマシン５００に１つの座りスペースを提供することができ、使用者はシート５４０に座って足踏みユニット５１１を踏んでサイクリングするように運動することができ、下肢をトレーニングすることができる。
図１３に示すように、サポートシート５３０は図１２の設置形態から枢転してシートの表面が地面に向かう方向に本体５１０に接続して設置される時に、手すり棒５５０はフィットネスマシン５００の一番上に位置しており、この時、使用者は腹臥位を取って手すり棒５５０に支持されることができ、且つ足踏みユニット５１１を踏み、上肢、胴体及び下肢を同時にトレーニングすることができる。
【００５８】
これによって、本考案によるフィットネスマシン５００は、接合構造５２０に枢設され且つ本体５１０に対して回動できるサポートシート５３０の設置によって、サポートシート５３０の全体を本体５１０から取り外すことを必要とせずに、実際の必要に応じてサポートシート５３０の本体５１０に対する設置形態を変えることができ、使用者がフィットネスの過程中に運動モードを変え、異なるボディパーツに対してフィットネスをする場合に有利であり、これが更に本考案によるフィットネスマシン５００の使用の利便性及び応用の広さを向上させる。
【００５９】
以上の実施例に示したように、本考案によるフィットネスマシンのメリットは、以下の通りである。
１．本考案によるフィットネスマシンは、サポートシートの取り外し可能なデザインによって、実際のフィットネスニーズに応じてサポートシートの設置形態を変えることができる。異なるフィットネス構造を追加設置することを必要とせずに、フィットネスマシンの体積及び使用スペースを効果的に縮小することができる。
２．本考案によるフィットネスマシンは、実際の必要に応じてサポートシートと接合構造との接続方式を変えることができる。よって、使用者がフィットネスの過程中に運動モードを変えて、異なるボディパーツに対してフィットネスをする場合に有利であり、これが更に本考案によるフィットネスマシンの使用の利便性及び応用の広さを向上させる。
３．本考案によるフィットネスマシンは、接合構造の設置によってサポートシートと接合構造との接続を解除することを必要とせずにサポートシートの本体に対する接続方式を変えることができ、異なる運動モードを有するフィットネス機器への要求を満たすことができるだけでなく、使用上、より便利になる。
【００６０】
本考案の実施形態を前述の通りに開示したが、これは、本考案を限定するものではなく、当業者なら誰でも、本考案の精神と範囲から逸脱しない限り、多様の変更や修正を加えることができる。したがって、本考案の保護範囲は、実用新案登録請求の範囲で指定した内容を基準とする。
【符号の説明】
【００６１】
１００、２００、３００、４００、５００  フィットネスマシン
１１０、２１０、３１０、４１０、５１０  本体
１１１、２１１、３１１、４１１、５１１  足踏みユニット
１２０、２２０、３２０、４２０、５２０  接合構造
１２１                                  第１の接続板
１２２                                  第２の接続板
１２３、４６２                          接続ユニット
１２４                                  第１の末端貫通孔
１２５                                  第２の末端貫通孔
１２６                                  位置決め部
１２７                                  凹穴
１２８                                  傾斜部
１３０、２３０、３３０、４３０、５３０  サポートシート
１４０、２４０、３４０、４４０、５４０  シート
１４１、２４１、３４１、４４１          シートバック
１５０、２５０、３５０、４５０、５５０  手すり棒
１５１、２５１、３５１、４５１、５５１  握り部
１６０、２６０、３６０、４６０、５６０  接続構造
１６１                                  スルーホール
１６２                                  第１の取付穴
１６３                                  第２の取付穴
１６４                                  第１の開孔
１６５                                  第２の開孔
１６６                                  弾性バックル
１６７                                  係合ブロック
１６８                                  ボタングループ
１６９                                  当接管
２２１、３２１、４２１                  貫通孔
２６１、３６１                          接続管
２６２、３６２、４６４                  固定部材
２６３                                  スルーホール
３６３                                  第２の管部材
３６４                                  第２のスルーホール
３６５                                  第１の管部材
３６６                                  第１のスルーホール
４２２                                  末端貫通孔
４６１                                  接続シート
４６３                                  シュート
４６５                                  スリーブ
４６６                                  接続部材
３−３、４−４                          断面線
【図１】
0003220826.tif 000003
【図２】
0003220826.tif 000004
【図３Ａ】
0003220826.tif 000005
【図３Ｂ】
0003220826.tif 000006
【図４Ａ】
0003220826.tif 000007
【図４Ｂ】
0003220826.tif 000008
【図５】
0003220826.tif 000009
【図６】
0003220826.tif 000010
【図７】
0003220826.tif 000011
【図８】
0003220826.tif 000012
【図９】
0003220826.tif 000013
【図１０】
0003220826.tif 000014
【図１１Ａ】
0003220826.tif 000015
【図１１Ｂ】
0003220826.tif 000016
【図１１Ｃ】
0003220826.tif 000017
【図１２】
0003220826.tif 000018
【図１３】
0003220826.tif 000019